(57)【要約】【課題】火災時に乗り場側の炎が昇降路側に移らない、安価に製造することができるエレベータのドア装置及びエレベータを提供する。【解決手段】本実施形態のドア装置は、ドア板と、ドア板の下端に設けられ、あおりを規制するガイドシューと、横幅がドア装置の１枚の幅以下であり、縦の長さがガイドシューを覆い、乗り場と昇降路とを遮断する長さである防火板と、を備える。防火板は、乗り場側において発生した火災の炎がガイドシューに燃え移り、この炎がさらに昇降路側に燃え移ることを防止する。【選択図】図２
2012171730.tif 000002
【特許請求の範囲】
【請求項１】
エレベータの昇降路側に開閉可能に設置されるドア板と、
前記ドア板の下端に設けられ、昇降路のステップ部に設けられるガイド溝に嵌め込まれ、前記ドア板のあおりを規制するガイドシューと、
横幅が前記ドア板の１枚の幅以下であり、縦の長さが前記ガイドシューを覆い、乗り場と前記昇降路とを遮断する長さである防火板と、
を備えるエレベータのドア装置。
【請求項２】
前記防火板は、
前記防火板の下端が前記ガイド溝に嵌め込まれ、縦の長さは前記防火板の下端が前記ガイド溝の底部に擦らず、前記ガイドシューを覆う長さの範囲から選択される請求項１記載のエレベータのドア装置。
【請求項３】
前記防火板は、
前記防火板の下端が前記ステップ部に前記ガイド溝に平行に設けられる摺動溝に嵌め込まれ、縦の長さは前記防火板の下端が前記摺動溝の底部に擦らず、前記摺動溝に嵌る長さの範囲から選択される請求項１記載のエレベータのドア装置。
【請求項４】
前記防火板は、
前記防火板の下端が前記ステップ部とカゴ室との間の間隙に嵌め込まれ、縦の長さは前記防火板の下端が下階の前記ドア装置にかからず、前記間隙に嵌る長さの範囲から選択される請求項１記載のエレベータのドア装置。
【請求項５】
前記防火板は、
前記防火板の下端が前記ステップ部を擦らず、前記ガイドシューを覆う長さの範囲から選択される請求項１記載のエレベータのドア装置。
【請求項６】
乗客や貨物を載せ、入り口ドアを有し、昇降路を昇降するカゴ室と、
前記カゴ室に一端が係止され、前記カゴ室を吊りあげるロープと、
前記ロープの他端に係止される錘と、
前記ロープを巻き上げる巻き上げ機と、
前記昇降路の乗り場側に設けられ、前記昇降路側に開閉可能に設置されるドア板と、前記ドア板の下端に設けられ、昇降路のステップ部に設けられるガイド溝に嵌め込まれ、前記ドア板のあおりを規制するガイドシューと、横幅が前記ドア板の１枚の幅以下であり、縦の長さが前記ガイドシューを覆い、乗り場と前記昇降路とを遮断する長さである防火板と、を備えるドア装置と、
を備えるエレベータ。
【請求項７】
前記防火板は、
前記防火板の下端が前記ガイド溝に嵌め込まれ、縦の長さは前記防火板の下端が前記ガイド溝の底部に擦らず、前記ガイドシューを覆う長さの範囲から選択される請求項６記載のエレベータ。
【請求項８】
前記防火板は、
前記防火板の下端が前記ステップ部に前記ガイド溝に平行に設けられる摺動溝に嵌め込まれ、縦の長さは前記防火板の下端が前記摺動溝の底部に擦らず、前記摺動溝に嵌る長さの範囲から選択される請求項６記載のエレベータ。
【請求項９】
前記防火板は、
前記防火板の下端が前記ステップ部とカゴ室との間の間隙に嵌め込まれ、縦の長さは前記防火板の下端が下階の前記ドア装置にかからず、前記間隙に嵌る長さの範囲から選択される請求項６記載のエレベータ。
【請求項１０】
前記防火板は、
前記防火板の下端が前記ステップ部を擦らず、前記ガイドシューを覆う長さの範囲から選択される請求項６記載のエレベータ。
【発明の詳細な説明】
【技術分野】
【０００１】
本発明の実施形態は、エレベータのドア装置及びエレベータに関する。
【背景技術】
【０００２】
エレベータの設置された建物内において火災が発生した場合、炎がエレベータの昇降路に移らないようにする必要がある。従来のエレベータのドア装置は乗り場側のドアのあおりを防止するためのガイドシューは合成樹脂によって形成されており、炎がこの樹脂部分に移る可能性がある。
【０００３】
この点に関し、乗り場側ドアと昇降路の間を防火シャッターによって遮断する技術が提案されている。
【先行技術文献】
【特許文献】
【０００４】
【特許文献１】特開２００３−２６７６５３号公報
【発明の概要】
【発明が解決しようとする課題】
【０００５】
しかし、防火シャッターは製造コストが高く、メインテナンスや点検の必要がある。
【０００６】
従って、火災時に乗り場側の炎が昇降路側に移らない、安価に製造することができるエレベータのドア装置及びエレベータが求められている。
【課題を解決するための手段】
【０００７】
上記の課題を解決するために、一実施形態はエレベータの昇降路側に開閉可能に設置されるドア板と、ドア板の下端に設けられ、昇降路のステップ部に設けられるガイド溝に嵌め込まれ、ドア板のあおりを規制するガイドシューと、横幅がドア板の１枚の幅以下であり、縦の長さがガイドシューを覆い、乗り場と昇降路とを遮断する長さである防火板と、を備えるエレベータのドア装置を提供する。
【図面の簡単な説明】
【０００８】
【図１】エレベータの側面図である。
【図２】エレベータのドア装置下方付近の断面図である。
【図３】ドア装置のドアの１枚を昇降路側から見た図である。
【図４】防火装置の斜視図である。
【図５】第１の応用例にかかるドア装置下方付近の断面図である。
【図６】第２の応用例にかかるドア装置下方付近の断面図である。
【図７】第３の応用例にかかるドア装置下方付近の断面図である。
【図８】防火板の断面形状の応用例を示す図である。
【図９】防火板の断面形状の応用例を示す図である。
【発明を実施するための形態】
【０００９】
以下、エレベータのドア装置及びエレベータの一実施形態について、図面を用いて詳細に説明する。
【００１０】
本実施形態のエレベータのドア装置は、エレベータの昇降路側に開閉可能に設置されるドア板と、ドア板の下端に設けられ、昇降路のステップ部に設けられるガイド溝に嵌め込まれ、ドア板のあおりを規制するガイドシューと、横幅がドア板の１枚の幅以下であり、縦の長さがガイドシューを覆い、乗り場と昇降路とを遮断する長さである防火板と、を備える。
【００１１】
図１は、本実施形態に係るエレベータ１００の側面図である。図１に示すように、エレベータ１００は、乗客や貨物を載せ、入り口ドア１０１Ａを有し、昇降路１１０を昇降するカゴ室１０１と、カゴ室１０１に一端が係止され、カゴ室１０１を吊りあげるロープ１０６と、ロープ１０６の他端に係止される錘１０３と、ロープ１０６を巻き上げる巻き上げ機１０２と、昇降路１１０の乗り場側に設けられるドア装置１０４と、昇降路１１０のドア装置１０４の下方に設けられるステップ部１０５と、を備える。
【００１２】
エレベータ１００はさらに、エレベータの動作を制御する制御部と、カゴ室１０１内に設けられる行き先ボタンと、を備える。
【００１３】
エレベータ１００は、行き先ボタンが押下されると信号が制御部に入力され、制御部により巻き上げ機１０２が駆動し、カゴ室１０１を行き先階に移動させる。エレベータ１００は制御部により行き先階において入り口ドア１０１Ａを開閉させる。入り口ドア１０１Ａはドア装置１０４を開閉させる開閉突起を有する。入り口ドア１０１Ａが開閉すると開閉突起がドア装置１０４を入り口ドア１０１Ａと連動させて開閉する。
【００１４】
図２は、本実施形態のエレベータ１００のドア装置１０４下方付近の断面図である。図３は、ドア装置１０４のドアの１枚を昇降路１１０側から見た図である。図４は、防火装置２０１の斜視図である。
【００１５】
図２乃至図４に示すように、ドア装置１０４は、エレベータの昇降路１１０側に開閉可能に設置されるドア板１０４Ｂと、ドア板１０４Ｂの下端にドア板１０４Ｂのあおりを規制するガイドシュー１０４Ａと、を有する。
【００１６】
ステップ部１０５は、ガイドシュー１０４Ａを嵌め込むガイド溝１０５Ａを備える。ガイド溝１０５Ａは、ステップ部１０５のドア装置１０４の開閉方向に沿って設けられる。ガイドシュー１０４Ａはガイド溝１０５Ａに嵌め込まれ、ドア装置１０４が開閉する際に摺動し、ドア装置１０４が昇降路１１０側及び乗り場側にあおられることを規制する。
【００１７】
ドア装置１０４は、下端にガイドシュー１０４Ａをカゴ室１０１側又は乗り場側から覆う防火板２０１を備える。
【００１８】
防火板２０１の横方向の長さは１枚のドア装置１０４の横幅以下である。防火板２０１の縦方向の長さは、下端がガイド溝１０５Ａの底部に擦らず、ガイドシュー１０４Ａを完全に覆う長さの範囲から適宜選択できる。
【００１９】
防火板２０１はドア装置１０４の下端部分、例えばガイドシュー１０４Ａの取り付け部分にボルトなどの係止具又は溶接によって係止される。防火板２０１の断面は段差を有し、この段差部分によってガイドシュー１０４Ａを覆い、乗り場側と昇降路１１０側とを遮断する。防火板２０１はドア装置１０４が開閉する動きに連動して動く。
【００２０】
なお、防火板２０１は、防火板２０１とガイドシュー１０４Ａとの間にスペーサを挿入し、フラットな構造とすることもできる。
【００２１】
乗り場側にて火災が発生した場合、炎は防火板２０１によって遮られ、昇降路側に移ることはない。また、防火板２０１がガイドシュー１０４Ａを覆うため、ガイドシュー１０４Ａが火災により発火した場合にも昇降路側に炎が漏れることはない。
【００２２】
図５は、第１の応用例にかかるドア装置１０４下方付近の断面図である。図５に示すように、ドア装置１０４は、エレベータの昇降路１１０側に開閉可能に設置されるドア板１０４Ｂと、ドア板１０４Ｂの下端にドア板１０４Ｂのあおりを規制するガイドシュー１０４Ａと、を有する。
【００２３】
ステップ部１０５は、ガイドシュー１０４Ａを嵌め込むガイド溝１０５Ａを備える。ガイド溝１０５Ａは、ステップ部１０５のドア装置１０４の開閉方向に沿って設けられる。ガイドシュー１０４Ａはガイド溝１０５Ａに嵌め込まれ、ドア装置１０４が開閉する際に摺動し、ドア装置１０４が昇降路１１０側及び乗り場側にあおられることを規制する。
【００２４】
ドア装置１０４は、下端にガイドシュー１０４Ａをカゴ室１０１側又は乗り場側から覆う防火板２０２を備える。
【００２５】
ステップ部１０５はさらに、防火板２０２の下端を嵌め込む摺動溝１０５Ｂを備える。摺動溝１０５Ｂは、防火板２０２の厚みより大きい長さの幅を有し、ガイド溝１０５Ａに平行に設けられる。
【００２６】
防火板２０２の横方向の長さは１枚のドア装置１０４の横幅以下である。防火板２０２の縦方向の長さは、下端が摺動溝１０５Ｂの底部に擦らず、摺動溝１０５Ｂに嵌る長さの範囲から適宜選択できる。
【００２７】
防火板２０２はドア装置１０４の下端部分、例えばガイドシュー１０４Ａの取り付け部分にボルトなどの係止具又は溶接によって係止される。防火板２０２の断面は段差を有し、この段差部分によってガイドシュー１０４Ａを覆い、乗り場側と昇降路１１０側とを遮断する。防火板２０２はドア装置１０４が開閉する動きに連動して動く。
【００２８】
なお、防火板２０２は、防火板２０１とガイドシュー１０４Ａとの間にスペーサを挿入し、フラットな構造とすることもできる。
【００２９】
乗り場側にて火災が発生した場合、炎は防火板２０２によって遮られ、昇降路側に移ることはない。また、防火板２０２がガイドシュー１０４Ａを覆うため、ガイドシュー１０４Ａが火災により発火した場合にも昇降路側に炎が漏れることはない。
【００３０】
図６は、第２の応用例にかかるドア装置１０４下方付近の断面図である。図６に示すように、ドア装置１０４は、エレベータの昇降路１１０側に開閉可能に設置されるドア板１０４Ｂと、ドア板１０４Ｂの下端にドア板１０４Ｂのあおりを規制するガイドシュー１０４Ａと、を有する。
【００３１】
ステップ部１０５は、ガイドシュー１０４Ａを嵌め込むガイド溝１０５Ａを備える。ガイド溝１０５Ａは、ステップ部１０５のドア装置１０４の開閉方向に沿って設けられる。ガイドシュー１０４Ａはガイド溝１０５Ａに嵌め込まれ、ドア装置１０４が開閉する際に摺動し、ドア装置１０４が昇降路１１０側及び乗り場側にあおられることを規制する。
【００３２】
ドア装置１０４は、下端にガイドシュー１０４Ａをカゴ室１０１側又は乗り場側から覆う防火板２０３を備える。
【００３３】
防火板２０３の横方向の長さは１枚のドア装置１０４の横幅以下である。防火板２０３の縦方向の長さは、下端が下階のドア装置１０４にかからず、ステップ部１０５の昇降路側端部とカゴ室１０１との間の間隙１０６に嵌る長さの範囲から適宜選択できる。
【００３４】
防火板２０３はドア装置１０４の下端部分、例えばガイドシュー１０４Ａの取り付け部分にボルトなどの係止具又は溶接によって係止される。防火板２０３の断面は段差を有し、
この段差部分が間隙１０６に入り込むことによりガイドシュー１０４Ａを覆い、乗り場側と昇降路１１０側とを遮断する。防火板２０３はドア装置１０４が開閉する動きに連動して動く。
【００３５】
なお、防火板２０３は、防火板２０１とガイドシュー１０４Ａとの間にスペーサを挿入し、フラットな構造とすることもできる。
【００３６】
乗り場側にて火災が発生した場合、炎は防火板２０３によって遮られ、昇降路側に移ることはない。また、防火板２０３がガイドシュー１０４Ａを覆うため、ガイドシュー１０４Ａが火災により発火した場合にも昇降路側に炎が漏れることはない。
【００３７】
図７は、第３の応用例にかかるドア装置１０４下方付近の断面図である。図７に示すように、ドア装置１０４は、エレベータの昇降路１１０側に開閉可能に設置されるドア板１０４Ｂと、ドア板１０４Ｂの下端にドア板１０４Ｂのあおりを規制するガイドシュー１０４Ａと、を有する。
【００３８】
ステップ部１０５は、ガイドシュー１０４Ａを嵌め込むガイド溝１０５Ａを備える。ガイド溝１０５Ａは、ステップ部１０５のドア装置１０４の開閉方向に沿って設けられる。ガイドシュー１０４Ａはガイド溝１０５Ａに嵌め込まれ、ドア装置１０４が開閉する際に摺動し、ドア装置１０４が昇降路１１０側及び乗り場側にあおられることを規制する。
【００３９】
ドア装置１０４は、下端にガイドシュー１０４Ａをカゴ室１０１側又は乗り場側から覆う防火板２０４を備える。
【００４０】
防火板２０４の横方向の長さは１枚のドア装置１０４の横幅以下である。防火板２０４の縦方向の長さは、下端がステップ部１０５を擦らず、ガイドシュー１０４Ａを覆う長さの範囲から適宜選択できる。
【００４１】
防火板２０４はドア装置１０４の下端部分、例えばガイドシュー１０４Ａの取り付け部分にボルトなどの係止具又は溶接によって係止される。防火板２０４の断面は段差を有し、
この段差部分がガイドシュー１０４Ａを覆い、乗り場側と昇降路１１０側とを遮断する。防火板２０４はドア装置１０４が開閉する動きに連動して動く。
【００４２】
なお、防火板２０４は、防火板２０１とガイドシュー１０４Ａとの間にスペーサを挿入し、フラットな構造とすることもできる。
【００４３】
乗り場側にて火災が発生した場合、炎は防火板２０４によって遮られ、昇降路側に移ることはない。また、防火板２０３がガイドシュー１０４Ａを覆うため、ガイドシュー１０４Ａが火災により発火した場合にも昇降路側に炎が漏れることはない。
【００４４】
図８及び図９は、防火板２０１、２０２、２０３、２０４の断面形状の応用例を示す図である。図８に示すように、防火板２０１、２０２、２０３、２０４は段差部分が傾斜していてもよい。また、図９に示すように、防火板２０１、２０２、２０３、２０４は段差部分が曲面を有していてもよい。
【００４５】
防火板２０１、２０２、２０３、２０４は、不燃性の材質、例えば金属によって形成される。
【００４６】
以上のべたように、本実施形態のドア装置１０４は、ドア板１０４Ｂと、ドア板１０４Ｂの下端に設けられ、あおりを規制するガイドシュー１０４Ａと、横幅がドア装置１０４の１枚の幅以下であり、縦の長さがガイドシュー１０４Ａを覆い、乗り場と昇降路１１０とを遮断する長さである防火板２０１、２０２、２０３、２０４と、を備える。
【００４７】
従って、火災時に乗り場側の炎が昇降路側に移らない、安価に製造することができるエレベータのドア装置及びエレベータを製造することができるという効果がある。
【００４８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１０１：カゴ室、
１０４：ドア装置、
１０４Ａ：ガイドシュー、
１０４Ｂ：ドア板、
１０５：ステップ部、
１０５Ａ：ガイド溝、
２０１、２０２、２０３、２０４：防火板。
【図１】
2012171730.tif 000003
【図２】
2012171730.tif 000004
【図３】
2012171730.tif 000005
【図４】
2012171730.tif 000006
【図５】
2012171730.tif 000007
【図６】
2012171730.tif 000008
【図７】
2012171730.tif 000009
【図８】
2012171730.tif 000010
【図９】
2012171730.tif 000011